【事件の表示】
　特許第３４５１３７４号「カーペット洗浄方法」の請求項１、２に係る特許に対する特許異議の申立てについて、次のとおり決定する。
【結　論】
　訂正を認める。
　特許第３４５１３７４号の請求項１に係る特許を取り消す。
【理　由】
 １．手続の経緯
　本件特許第３４５１３７４号は、平成１２年２月２４日の出願であって、平成１５年７月１８日に設定の登録がなされ、平成１５年９月２９日にその特許掲載公報が発行された後、水澤弘範より特許異議の申立てがなされ、当審による取消しの理由が通知され、その指定期間内である平成１７年３月１７日に特許異議意見書の提出とともに訂正請求がなされたものである。
　
２．訂正の適否についての判断
２−１．訂正の内容
　平成１７年３月１７日付け訂正請求書による訂正請求（以下、「本件訂正」という。）は、願書に添付した明細書（以下、「特許明細書」という。）の記載を同上訂正請求書に添付の訂正明細書のとおりに訂正することを求めるものであって、その具体的内容は以下のとおりである。
（１）訂正事項１
　【特許請求の範囲】の、
「【請求項１】　カーペットの表面の埃を取り除く除塵工程、カーペットを洗剤を用いて洗浄する洗浄工程、カーペットに含まれる洗剤を除去するすすぎ工程、カーペットに含まれる水分を除去する乾燥掛け工程、カーペットに汚れを防ぐガード剤を散布する防汚工程、及びカーペットを乾燥させる乾燥工程を順に行うことを特徴とするカーペット洗浄方法。
　【請求項２】　前記洗浄工程で、１リットルあたりの不揮発成分の含有量が５ｇ以下である洗剤を用いるようにした請求項１記載のカーペット洗浄方法。」を、
「【請求項１】　カーペットの表面の埃を取り除く除塵工程、
１リットルあたりの不揮発成分の含有量が５ｇ以下である洗剤を含ませた綿製のパッドを回転させるようにした洗浄装置を
水を含ませた綿製のパッドを装着した前記洗浄装置で
（２）訂正事項２
　明細書の段落番号【０００７】の、
「この発明のカーペット洗浄方法は、カーペットの表面の埃を取り除く除塵工程、カーペットを洗剤を用いて洗浄する洗浄工程、カーペットに含まれる洗剤を除去するすすぎ工程、カーペットに含まれる水分を除去する乾燥掛け工程、カーペットに汚れを防ぐガード剤を散布する防汚工程、及びカーペットを乾燥させる乾燥工程を順に行うようにしている」を、
「この発明のカーペット洗浄方法は、カーペットの表面の埃を取り除く除塵工程、
１リットルあたりの不揮発成分の含有量が５ｇ以下である洗剤を含ませた綿製のパッドを回転させるようにした洗浄装置を
水を含ませた綿製のパッドを装着した前記洗浄装置で
（３）訂正事項３
　明細書の段落番号【０００８】の記載を削除する。
　
２−２．訂正の目的の適否・新規事項の有無・特許請求の範囲の実質的拡張あるいは変更の有無
　訂正事項１は、具体的には、（イ）訂正前の【請求項１】の「カーペットを洗剤を用いて洗浄する洗浄工程」につき、「１リットルあたりの不揮発成分の含有量が５ｇ以下である洗剤を含ませた綿製のパッドを回転させるようにした洗浄装置を用いてカーペットを洗浄する」ものと限定し、（ロ）訂正前の【請求項１】の「カーペットに含まれる洗剤を除去するすすぎ工程」につき、「水を含ませた綿製のパッドを装着した前記洗浄装置でカーペットに含まれる洗剤を除去する」ものと限定するとともに、（ハ）訂正前の【請求項２】を削除することを、その訂正内容とするものである。
　そして、上記（イ）及び（ロ）の訂正内容は、訂正前の請求項１に記載された「洗浄工程」及び「すすぎ工程」について、その使用する洗剤や装置内容を、特許明細書の【請求項２】、段落番号【００１３】及び【００１４】に記載された事項に基づいて技術的に限定するものであり、また、上記（ハ）の訂正内容は、訂正前の【請求項２】に記載していた事項が【請求項１】に記載されることとなったため、当該請求項を削除したものである。
　また、訂正事項２及び３は、いずれも、訂正事項１による特許請求の範囲の訂正に伴い、発明の詳細な説明の記載を特許請求の範囲の記載と整合させるものであるから、明りょうでない記載の釈明を目的とした明細書の訂正に該当するといえる。
　以上検討したとおり、本件訂正は、特許請求の範囲の減縮を目的とした明細書の訂正又は明りょうでない記載の釈明を目的とした明細書の訂正に該当するものであり、かつまた、特許明細書に記載された事項の範囲内のものであって、実質上特許請求の範囲を拡張し、又は変更するものでもない。
　
　したがって、本件訂正は、特許法第１２０条の４第２項及び同条第３項において準用する特許法第１２６条第２項及び第３項の規定に適合するので、本件訂正を認める。
　
３．特許異議申立及び当審の取消理由の概要
３−１．特許異議申立の理由の概要
　特許異議申立人水澤弘範による特許異議申立の理由は、訂正前の請求項１及び２に係る発明が、甲第１号証〜甲第４号証に記載された発明に基づいて当業者が容易に発明をすることができたものであって、特許法第２９条第２項の規定により取り消すべきというものである。
（証拠）
甲第１号証：「カーペットのメンテナンス　−学科・実技のすべて−」、財団法人建築物管理訓練センター、平成７年９月２０日改訂第２版発行、第４９、６２、７２〜７４、７８、１２０〜１２１頁。
甲第２号証：「清掃作業従事者研修用テキストIII　快適な環境づくりの清掃」、社団法人全国ビルメンテナンス協会、平成１２年４月１０日第８版発行、第７５〜８１頁。
甲第３号証：「最新洗浄剤処方集　人体，衣類，その他硬軟表面用　第３集　１９９５」、川研ファインケミカル株式会社、平成７年１０月１日発行、凡例第viii〜ix頁、第３３９頁。
甲第４号証：「カーペケアー　メンテナンステキストブック」、ジョンソン株式会社、（９５．１１．１）、第１５〜１６頁。
　
３−２．当審の取消理由の概要
　当審による取消理由は、訂正前の請求項１及び２に係る発明が、いずれも、その出願前に頒布された下記の刊行物１〜３に記載された発明に基づいて当業者が容易に発明をすることができたものであって、特許法第２９条第２項の規定により、特許を受けることができないというものである。
                                 記
刊行物１：特開昭６０−９２７２４号公報
刊行物２：特開平９−１０８１５６号公報
刊行物３：特開２０００−２３８８９号公報
（なお、上記刊行物１〜３は、いずれも原審の審査過程における検索報告書に記載されていた特許文献である。）
　
４．特許異議の申立てについての判断
４−１．本件発明
  上記のとおり本件訂正が認められるので、本件特許の請求項１に係る発明（以下、「本件発明」という。）は、訂正明細書の特許請求の範囲の請求項１に記載された事項により特定されるとおりのものである。（上記「２．」の２−１の（１）参照）
　
４−２．引用刊行物に記載された発明
（１）当審で通知した取消しの理由で引用した特開昭６０−９２７２４号公報（以下、「刊行物１」という。）には、「ジュータン等のクリーニング方法」の発明に関して、図面の第１〜３図とともに、次の事項が記載されている。
ａ．「敷設されたジュータン等に付着したゴミ等がある場合には該ゴミ等を電気掃除機によって吸取る選択的に行われるゴミ等の除去工程と、この選択的に行われるゴミ等の除去工程を経たジュータン等に洗剤を出しながらジュータン等を洗い機を用いて洗浄する洗浄工程と、この洗浄工程を経たジュータン等に真空ススギ洗い機を用いてススギ液を噴霧しながら、該噴霧されたススギ液を真空吸引してススギ洗いを行うススギ洗い工程とからなるジュータン等のクリーニング方法。」［第１頁左下欄の特許請求の範囲の請求項１］
ｂ．「第１図ないし第３図の実施例において、１は選択的に行われる敷設されたジュータン２にゴミ、ホコリ、砂等が付着している場合に行う、電気掃除機３によってゴミ等を吸取るゴミ等の除去工程である。」［第２頁左上欄第１４〜１８行］
ｃ．「５は前記ゴミ等の除去工程１を経たあるいはゴミ等の除去工程１を行っていないジュータン２に洗い機６を用いて洗剤を出しながらジュータン２を洗浄する洗浄工程である。前記洗剤は植物性、動物性、鉱物性あるいは合成洗剤のいずれであってもよく、好ましくは即効性気泡洗剤を用いるとよい。前記洗い機６は第２図にも示すように洗い機本体７に駆動装置（図示せず）の駆動によって回転駆動される円形ブラシ８、８と、この円形ブラシ８、８間に備えられた洗剤タンク９からの洗剤を出すノズル１０とから構成された市販されているものを用いる。」［第２頁右上欄第５〜１６行］
ｄ．「１１は前記洗浄工程５を経たジュータン２に真空ススギ洗い機１２を用いてススギ液を噴霧しながら、該噴霧されたススギ液を真空吸引してススギ洗いを行うススギ洗い工程である。前記ススギ洗い機１２は第３図に示すように…（中略）…このススギ洗い機本体１４には清水あるいは温水等のススギ液１５が収納される供給タンク１６と、…（中略）…とが備えられている。」［第２頁右上欄第１７行〜左下欄第９行］
ｅ．「実施例ではジュータンをクリーニングする方法について説明したが、本発明はこれに限らず、カーペット等にも同様にクリーニングすることができる。」［第２頁右下第９〜１２行］
　
　上記の記載事項ａ〜ｅ並びに図面に示された内容を総合すると、刊行物１には、次の発明（以下、「引用発明」という。）が記載されていると認められる。
（引用発明）
「ジュータンやカーペット等に付着したホコリやゴミ等を吸取る「ゴミ等の除去工程」、洗剤を出しながらジュータンやカーペット等を市販の洗い機を用いて洗浄する「洗浄工程」及び洗浄工程を経たジュータンやカーペット等に清水あるいは温水等のススギ液を噴射しながら、該噴霧されたススギ液を真空吸引してススギ洗いを行う「ススギ洗い工程」を順に行うジュータンやカーペット等のクリーニング方法。」
　
（２）同じく引用した特開平９−１０８１５６号公報（以下、「刊行物２」という。）には、「カーペットクリーナ及びカーペットの清浄化方法」の発明に関して、図面の図１〜図６とともに、次の事項が記載されている。
ａ．「化学洗浄剤を含んでなる極微細で長時間安定な泡の製造及び吹出しをする装置、該泡を吹出し散布したカーペット面を回転ブラシで摩擦洗浄する装置、カーペット上の及び回転ブラシ上の残存洗浄剤泡を吸引して消泡タンク内に導入、泡の２次発生を防止する装置、及び洗浄されたカーペット面を、高温、高速風により急速乾燥する装置、を含んでなるカーペットクリーナー。」［【特許請求の範囲】【請求項１】］
ｂ．「本発明のカーペットクリーナーの完成により１）微細洗浄剤泡の連続発生とその泡のカーペット面への供給、２）多軸回転ブラシによる摩擦洗浄、３）余剰洗浄剤と泡のカーペット面からの真空除去、４）僅かに洗浄剤泡の残留したカーペット面の高温高速ジェットエヤーによる瞬間乾燥、の４段階が１人の作業者によるコンパクトにまとめたカーペットクリーナーの１回の走行で、安全、簡単、迅速かつ確実に実施され、」［第１０欄第１７〜２５行］
　
　すなわち、刊行物２には、カーペットの清浄化方法として、洗浄剤を用いた洗浄工程と当該洗浄剤の除去工程とを行った後にカーペット面の乾燥工程を行うという作業手順が記載されている。
　
（３）同じく引用した特開２０００−２３８８９号公報（以下、「刊行物３」という。）には、「移動式カーペット加熱装置」の発明に関して、図面の図１〜図３とともに、次の事項が記載されている。
ａ．「本発明は、事務所の床等に敷設されたカーペットに防汚処理を施すために用いられる移動式の加熱装置に関する。」［第１欄第９〜１１行］
ｂ．「床上に敷設されたカーペットに、まず、防汚処理剤を噴霧又は塗布する。そして、その水分を除去するために自然乾燥又は送風乾燥を行う。」［第２欄第１６〜１８行］
ｃ．「上記防汚処理を施す前に洗剤等でカーペットをクリーニングしておくことが望ましいことは言うまでもない。」［第２欄第４０〜４２行］
ｄ．「事務所等に敷設されているカーペットを洗剤等でクリーニングした後、このように防汚処理を施すことにより、事務所等のカーペットを常に美麗な状態に保持しておくことができるようになる。」［第２欄第４６〜５０行］
　
　すなわち、刊行物３には、カーペットを洗剤等でクリーニングした後に、防汚処理剤を噴霧又は塗布する工程と乾燥する工程とを順次行うことが記載されている。
　
４−３．対比及び判断
　本件発明と引用発明とを対比すると、その作用ないし機能からみて、引用発明における「ジュータンやカーペット等」、「クリーニング方法」が、本件発明における「カーペット」、「洗浄方法」に、それぞれ相当することが明らかである。
　また、引用発明の「ゴミ等の除去工程」が、ジュータンやカーペット等の表面に付着した埃を取り除くことが明らかであるから、本件発明の「カーペットの表面の埃を取り除く除塵工程」に相当するといえる。
　さらに、引用発明の「洗剤を出しながらジュータンやカーペット等を市販の洗い機を用いて洗浄する「洗浄工程」」と本件発明の「１リットルあたりの不揮発成分の含有量が５ｇ以下である洗剤を含ませた綿製のパッドを回転させるようにした洗浄装置を用いてカーペットを洗浄する洗浄工程」とは、共に「洗剤と洗浄装置とを用いてカーペットを洗浄する洗浄工程」である点で共通するといえる。
　さらにまた、引用発明の「洗浄工程を経たジュータンやカーペット等に清水あるいは温水等のススギ液を噴射しながら、該噴霧されたススギ液を真空吸引してススギ洗いを行う「ススギ洗い工程」」は、洗浄工程を経たジュータン等から温水等のススギ液を用いてススギ洗いすることにより洗剤を除去するものであることが明らかであるから、本件発明の「
水を含ませた綿製のパッドを装着した前記洗浄装置で
　そうすると、両者は、「カーペットの表面の埃を取り除く除塵工程、洗剤と洗浄装置とを用いてカーペットを洗浄する洗浄工程、及び水を用いてカーペットに含まれる洗剤を除去するすすぎ工程を順に行うカーペット洗浄方法。」である点で一致し、次の点で相違するといえる。
　
［相違点１］本件発明は、「すすぎ工程」の後に「カーペットに含まれる水分を除去する乾燥掛け工程、カーペットに汚れを防ぐガード剤を散布する防汚工程及びカーペットを乾燥させる乾燥工程」を順に行うのに対して、引用発明はすすぎ工程の後にそのような工程を行なっていない点。
［相違点２］「洗浄工程」に関して、本件発明は「１リットルあたりの不揮発成分の含有量が５ｇ以下である洗剤を含ませた綿製のパッドを回転させるようにした洗浄装置を用いてカーペットを洗浄する」のに対して、引用発明がそのような洗剤と洗浄装置とを用いていない点。
［相違点３］「すすぎ工程」に関して、本件発明は「水を含ませた綿製のパッドを装着した前記洗浄装置」を用いて行うのに対して、引用発明は「清水あるいは温水等のススギ液を噴射しながら、該噴霧されたススギ液を真空吸引してススギ洗いを行う」点。
　
　そこで上記の各相違点について検討する。
　
［相違点１］について
　ところで、カーペットに含まれる洗剤を除去するためのすすぎ工程の後に当該カーペットを乾燥する工程を行うようにすることは、上記刊行物２にも記載されているように、従来より周知の手順であったといえるし、また、当該乾燥する工程によりカーペットに含まれる水分が除去されることも自明な事項である。
　さらに、防汚処理を施す前に洗剤等でカーペットをクリーニングしておくこと、いいかえれば、カーペットを洗剤等でクリーニングした後に防汚処理剤を噴霧又は塗布する工程（本件発明の「カーペットに汚れを防ぐガード剤を散布する防汚工程」に相当する）と乾燥する工程とを順次行うことも、上記刊行物３に示されるように、本件発明の出願日前に公知の手順であったといえる。
　してみると、相違点１に係る本件発明の構成は、引用発明のカーペットのクリーニング方法におけるすすぎ工程の後に従来より周知の乾燥する工程を単に付加し、その後に、刊行物３に示されたカーペットに汚れを防ぐガード剤を散布する防汚工程とカーペットを乾燥させる乾燥工程とを併せて付加することにより、当業者が容易に想到し得たものといえる。
　
　なお、特許権者は、意見書において、同一の業者により除塵工程から乾燥工程までの６工程のすべてを行うことができるため、すべての工程にわたって目が行き届き、適切な処理を行って、美しいカーペットの仕上がりを実現する事ができる旨を主張している。
　しかしながら、「除塵工程」から「乾燥工程」までを順次行う洗浄方法における各工程を誰がどのように実施するように選択するかということは、本件発明において特定されている事項でもなく、施工者が実施すべき現場の状況に応じて適宜決定し得る事項であり、また、仮に同一の業者がすべての工程を行えば、工程管理により一貫性を持たせることができることも自明な事項であって格別のものとはいえないから、上記主張を採用することができない。
　
［相違点２］について
　ところで、本件発明の洗浄工程に用いられる「洗剤を含ませた綿製のパッドを回転させるようにした洗浄装置」は、特許明細書における「発明の実施の形態」の項の記載を参酌すると、段落【００１３】に「洗浄工程では、図１に示すような洗浄装置を使用する。洗浄装置１は、…図２に示すような円形のパッド２を下部に取り付け、このパッド２を回転させられるようにしている。」と説示されており、また、その図面の図１には、例えば、異議申立人の提出した甲第１号証の第４９頁の右上の写真と第１２０頁の挿絵、並びに甲第２号証の第７９、８０頁の挿絵にも示されるように、従来よりバッフィング装置ないしポリッシャー装置として良く知られている床面掃除用の装置と同様の形態のものが示されている。
　また、上述した従来より周知の床面掃除用の装置に、綿製のバッフィングパッドを装着し、これを回転させてカーペット等を洗浄することや、その際に予め洗剤をカーペット上に作用させたり、又は、装着する綿製のパッドに予め洗剤を含ませたり、さらには、当該装置に水を含ませた綿製のパッドを装着し、カーペット上に作用された洗剤の除去を行うことも、同じく甲第１号証及び甲第２号証に示されるように、従来より普通に採用されていた技術であったということができる。
　してみると、引用発明の洗浄工程に使用される洗浄装置に代えて従来より周知であるところの綿製のパッドを回転させる態様の床面掃除用の装置を採用するとともに、その洗浄工程を、上記綿製のパッドに洗剤を含ませて回転させることによりカーペットを洗浄するという洗浄工程のものと変更することは、当業者が容易に採用し得た設計上の変更であるといわざるを得ない。
　
　次に、本件発明の、洗浄工程で用いられる洗剤が、「１リットルあたりの不揮発成分の含有量が５ｇ以下である洗剤」であると規定した点について検討する。
　ところで、カーペットに限らずに、一般的な洗浄に用いられる洗剤の種類や濃度をどの様に選択ないし決定するかは、実際の汚れの種類や程度等に合わせて作業者が適宜選択し決定するのが望ましいことは、従来より一般的に知られていた事項であるといえる。
　さらに、このように選択ないし決定された洗剤による洗浄が終わった後、これら洗剤をすすぎ洗い等により除去する際には、できるかぎり揮発性成分が多い洗剤が望ましいこと、いいかえれば、なるべく不揮発成分の含有量が少ない洗剤を用いることが望ましいことも、従来より当業者において技術常識であったといえる。
　そして、本件特許明細書の記載を参酌してみても、上記規定した条件を満足する洗剤について、段落【００１４】に「洗剤は、１リットルあたりの不揮発成分の含有量が５ｇ以下のものを使用する」と記載されているに止まり、その使用する洗剤の組成が如何なるものであるかについての具体的な記載が無く、どの様にして調合ないし製造するのかも具体的に示されていない。
　そうすると、本件発明の洗剤につき上記規定した点は、本件出願前に既に市販されていた各種の洗剤の中から適当なものを選択し、これを適宜希釈するなどして使用することと解さざるを得ない。
　してみると、本件発明の洗剤につき上記規定した点は、上述したところの従来からの技術常識に基づき、本件出願前に既に市販されていた各種の洗剤の中から適当なものを選択し、これを適宜希釈するなどして使用することにより、当業者が適宜採用し得た設計事項であるといわざるを得ない。
　
　なお、特許権者は、意見書において、洗浄工程で用いられる洗剤が「１リットルあたりの不揮発成分の含有量が５ｇ以下である洗剤」であることにより、すすぎ工程でバキューム等の大がかりな装置を必要としないで残留洗剤分を微量にすることができる旨を主張している。
　しかしながら、上記したように、残留成分である不揮発成分の含有量の少ない洗剤を用いれば、その後のすすぎ工程を簡便で容易なものにすることができることは従来より一般的に知られていた事項であるといえるし、また、カーペットの洗浄に際して、洗剤の除去を水を含んだパッドを回転して行うこと、いいかえれば、バキューム等の大がかりな装置を用いないすすぎ洗い手法を採用することも従来より普通に行われていたことであり、いずれのすすぎ洗い手法を採用するかも状況に応じて当業者が適宜選択し得た事項であるといえるから、上記主張を採用することができない。
　
［相違点３］について
　上記［相違点２］につき説示したように、従来より周知の床面掃除用の装置に水を含ませた綿製のパッドを装着し、カーペット上に作用された洗剤の除去を行うことも、甲第１号証及び甲第２号証に示されるように、従来より普通に採用されていた技術であるということができる。
　してみると、相違点２に係る本件発明の構成は、上述した従来より周知の床面掃除用の装置を採用するに際して、当該装置を用いて従来より普通に採用されていた洗剤の除去を行う技術、すなわち、すすぎ技術を、引用発明のすすぎ工程に代えて適用することにより、当業者が容易に採用し得たものといえる。
　
　そして、本件発明の奏する作用・効果も、刊行物１〜３に記載された発明並びに従来より周知ないし慣用の技術から当業者が予測し得るものであって、格別なものということができない。
　
　以上のことから、本件発明は、刊行物１〜３に記載された発明並びに従来より周知ないし慣用の技術に基いて当業者が容易に発明をすることができたものであるといえる。
　
５．むすび
　以上のとおり、異議申立の理由及び証拠を検討するまでもなく、本件発明の特許は、特許法第２９条第２項の規定に違反してされたものである。
　したがって、本件発明の特許は、拒絶の査定をしなければならない特許出願に対してされたものであり、特許法第１１３条第２号に該当し、取り消されるべきものである。
　よって、結論のとおり決定する。　
【異議決定日】
平成１７年６月２日（２００５．６．２）
【訂正の要旨】
審決（決定）の【理由】欄参照。
（５４）【発明の名称】
カーペット洗浄方法
（５７）【特許請求の範囲】
　【請求項１】カーペットの表面の埃を取り除く除塵工程、
１リットルあたりの不揮発成分の含有量が５ｇ以下である洗剤を含ませた綿製のパッドを回転させるようにした洗浄装置を
水を含ませた綿製のパッドを装着した前記洗浄装置で
【発明の詳細な説明】
　【０００１】
　【産業上の利用分野】
　この発明は、オフィスの床の表面材として施工されたカーペットを洗浄する方法に関するものである。
　【０００２】
　【従来の技術】
　従来、カーペットの洗浄方法としては、洗剤を噴霧してパッドで汚れをとるスプレー方式、洗浄パウダーを散布し、ブラシで擦り付けて汚れを洗浄パウダーに移しとるパウダー方式、洗剤液を噴射してバキュームで回収するエクストラクション方式、ポリッシャーで直接洗剤を落下させながらブラシで泡立てて洗浄するシャンピング方式等が実施されている。
　【０００３】
　しかし、スプレー方式は、洗浄力が弱い上に残留洗剤分が多く、パウダー方式は、パウダーが十分に回収されず、粉塵の発生原因となっており、エクストラクション方式は、洗浄力が弱い上に乾燥に時間がかかり、そして、シャンピング方式は、乾燥に時間がかかり、作業効率が悪く、しかも熟練が必要であった。
　【０００４】
　また、従来の洗浄方法では、洗浄効果が長持ちせず、短期間のうちにカーペットに汚れが再付着するため、洗浄の実施頻度を多くする必要があった。
　【０００５】
　【発明が解決しようとする課題】
　そこで、この発明は、洗浄力が強く、残留洗剤分が少なく、乾燥に時間がかからず、作業にさほど熟練を要さず、しかも洗浄効果が長持ちするカーペット洗浄方法を提供することを課題とする。
　【０００６】
　【課題を解決するための手段】
　前記課題を解決するため、この発明は次のような技術的手段を講じている。
　【０００７】
　この発明のカーペット洗浄方法は、カーペットの表面の埃を取り除く除塵工程、
１リットルあたりの不揮発成分の含有量が５ｇ以下である洗剤を含ませた綿製のパッドを回転させるようにした洗浄装置を
水を含ませた綿製のパッドを装着した前記洗浄装置で
　【０００８】
　【０００９】
　【発明の実施の形態】
　以下、この発明の実施形態を図面を参照して説明する。
　【００１０】
　この発明のカーペット洗浄方法は、カーペットの表面の埃を取り除く除塵工程、カーペットを洗剤を用いて洗浄する洗浄工程、カーペットに含まれる洗剤を除去するすすぎ工程、カーペットに含まれる水分を除去する乾燥掛け工程、カーペットに汚れを防ぐガード剤を散布する防汚工程、及びカーペットを乾燥させる乾燥工程を順に行うようにしたものである。
　【００１１】
　具体的には、以下のようにして作業を行う。
　【００１２】
　まず、デスクや棚等の備品を移動させてから、除塵作業を行う。除塵作業では、アップライトタイプの掃除機を使用し、丁寧にクロス掛けを行う。
　【００１３】
　次に、洗浄工程では、図１に示すような洗浄装置１を使用する。洗浄装置１は、上部にモータを内蔵し、図２に示すような円形のパッド２を下部に取り付け、このパッド２を回転させられるようにしている。この洗浄工程では、綿製のパッド２に液状の洗剤を含ませて使用する。パッド２は着脱可能で、取り替えることができる。パッド２は、２０平方メートル程度洗浄するごとに取り替えるとよい。
　【００１４】
　洗剤は、１リットルあたりの不揮発成分の含有量が５ｇ以下のものを使用する。洗剤は、一定の作業品質を確保するために、作業現場で希釈せずにそのまま使用できるようにしておくことが望ましい。使用する洗剤の量は、カーペットを軽く濡らす程度でよい。
　【００１５】
　次に、すすぎ工程では、前記洗浄装置１に、水を含ませた綿製のパッドを装着して作業を行う。前述の通り、洗浄工程で使用する洗剤の不揮発成分の含有量が５ｇ以下であるため、バキューム作業等を行うことなく、このすすぎ工程で１平方メートルあたりの残留洗剤分を０．０４ｇ程度の微量にとどめることが可能である。
　【００１６】
　次に、乾燥掛け工程では、前記洗浄装置１に、乾燥用のパッドを装着して作業を行う。乾燥掛け工程では、すすぎ工程でカーペットに含まれることになった水分を、前記乾燥用のパッドに吸収させる。
　【００１７】
　次に、防汚工程では、噴霧器を使用して、汚れを防ぐガード剤をカーペットに散布する。ガード剤は、１平方メートルあたり５ｃｃ程度とし、歩行動線を中心に散布するとよい。なお、ガード剤を散布する前に、カーペットの起毛作業を行うことが望ましい。
　【００１８】
　そして、乾燥工程で、送風機を使用してカーペットを乾燥させる。この乾燥工程では、カーペットに含まれる水分を十分に除去しなければ、前記ガード剤による防汚効果が発揮されない。乾燥したカーペットは、前記ガード剤の効果により、汚れが付着しにくくなるため、従来の方法に比べて洗浄効果が長持ちし、洗浄の実施頻度を少なくすることができる。
　【００１９】
　このカーペット洗浄方法は、洗浄力が強いため、従来のカーペット洗浄方法に比べて美しい仕上がりを実現することができる。また、粉塵の発生原因である残留洗剤分が少ないため、快適なオフィス環境が得られる。しかも、残留洗剤分が水分を吸収してベタつくことを防止できるので、カーペットに汚れが再付着しにくく、洗浄効果が長持ちする。
　【００２０】
　さらに、従来のカーペット洗浄方法に比べて、使用する洗剤の量が少ないので、乾燥に要する時間が短い。従って、作業中にカーペット上を通行することも可能で、オフィス内における業務の支障を最小限にとどめることができる。
　【００２１】
　しかも、前述のように、各工程は比較的簡単な作業からなるため、さほど熟練を要しない。従って、作業員の養成が容易であり、低コストで実施できる。
　【００２２】
　【発明の効果】
　この発明のカーペット洗浄方法は、上述のような構成を有しており、残留洗剤分が少なく、乾燥に時間がかからず、作業にさほど熟練を要さず、しかも洗浄効果が長持ちするため、低コストで優れた仕上がりを実現することができる。
【図面の簡単な説明】
　【図１】この発明の実施形態のカーペット洗浄方法で使用する洗浄装置の斜視図。
　【図２】前記洗浄装置に装着するパッドの平面図。
　【符号の説明】
　１　洗浄装置
　２　パッド